(57)【要約】【課題】降雨時においても蚊取り線香が消え難く、火災のおそれがない、蚊取り線香用容器を提供すること。【解決手段】上端部に蚊取り線香挿入配置用の本体開口部２１を有するとともに、側壁２２に複数の排煙孔２２０を有する有底筒状の容器本体２と、該容器本体２の内側において排煙孔２２よりも下方に配置されるとともに、上記蚊取り線香１０を支持する支持部３と、上記容器本体２の側壁２２よりも水平方向外側に位置する鍔部４０を有するとともに上記容器本体の上端部に着脱可能に固定されて上記本体開口部を覆う蓋部４とを有し、かつ、上記蓋部４の鍔部４０の下端部４００は上記排煙孔２２の上端部２２１よりも下方に位置している。【選択図】図１
0003151367.tif 000002
【実用新案登録請求の範囲】
【請求項１】
上端部に蚊取り線香挿入配置用の本体開口部を有するとともに、側壁に複数の排煙孔を有する有底筒状の容器本体と、
該容器本体の内側において上記排煙孔よりも下方に配置されるとともに、上記蚊取り線香を支持する支持部と、
上記容器本体の側壁よりも水平方向外側に位置する鍔部を有するとともに上記容器本体の上端部に着脱可能に固定されて上記本体開口部を覆う蓋部とを有し、
かつ、上記蓋部の鍔部の下端部は上記排煙孔の上端部よりも下方に位置していることを特徴とする蚊取り線香用容器。
【請求項２】
請求項１において、上記鍔部の下端部と上記排煙孔の下端部とを結ぶ直線Ｃと水平方向Ｂとの間の角度は、４５°以下であることを特徴とする蚊取り線香用容器。
【請求項３】
請求項１又は２において、上記鍔部は、上記容器本体の側壁から上記鍔部までの水平距離Ｌが上記排煙孔の上端部から下端部までの距離である開口高さＨよりも長く形成されていることを特徴とする蚊取り線香用容器。
【請求項４】
請求項１〜３のいずれか一項において、上記蚊取り線香用容器を側面視したとき、上記鍔部は、上記排煙孔の上部を上記開口高さの１／２以上覆っていることを特徴とする蚊取り線香用容器。
【請求項５】
請求項１〜４のいずれか一項において、上記蚊取り線香用容器を側面視したとき、上記排煙孔は、上記容器本体の側壁において上記容器本体の外側に向かって突出形成された煙突部の端部に形成されていることを特徴とする蚊取り線香用容器。
【請求項６】
請求項１〜５のいずれか一項において、上記蓋部は、水平方向に対して傾斜してなる屋根部を有し、
該屋根部は、水平方向外側の端部が上記鍔部と接続されていることを特徴とする蚊取り線香用容器。
【請求項７】
上端部に蚊取り線香挿入配置用の本体開口部を有するとともに、側壁に複数の排煙孔を有する有底筒状の容器本体と、
該容器本体の内側において上記排煙孔よりも下方に配置されるとともに、上記蚊取り線香を支持する支持部と、
上記容器本体の側壁よりも水平方向外側に位置する鍔部を有するとともに上記容器本体の上端部に着脱可能に固定されて上記本体開口部を覆う蓋部とを有し、
かつ上記容器本体は、その側壁の内側面に上記容器本体の内側に向かって形成された灰止め部を有していることを特徴とする蚊取り線香用容器。
【請求項８】
請求項７において、上記灰止め部は、その先端部分が下方へ向かって屈曲した屈曲部を有することを特徴とする蚊取り線香用容器。
【考案の詳細な説明】
【技術分野】
【０００１】
本考案は、点火した状態の蚊取り線香を収納する蚊取り線香用容器に関する。
【背景技術】
【０００２】
従来から、上端部に蚊取り線香挿入配置用の本体開口部を有するとともに側壁に複数の排煙孔を有する容器本体と、この容器本体の内側に配設され上記蚊取り線香を支持する支持部と、上記容器本体の上端部に嵌合して固定される蓋部とを有する蚊取り線香用容器が知られている（例えば、特許文献１参照）。
【先行技術文献】
【特許文献】
【０００３】
【特許文献１】特開平１１−３１８３０８号公報
【考案の概要】
【考案が解決しようとする課題】
【０００４】
ところが、かかる従来の蚊取り線香用容器においては、以下のような問題点があった。
すなわち、この蚊取り線香用容器においては、排煙孔が大きく開口している。そのため、この蚊取り線香用容器を犬等の動物用などとして屋外において使用する場合には、雨が降ってきた場合、その雨水は排煙孔からそのまま容器本体内へ降り込み易い。
その結果、蚊取り線香が濡れて使用継続ができなくなってしまうおそれがあった。
【０００５】
本考案は、かかる従来の問題点に鑑みてなされたもので、降雨時においても蚊取り線香が消え難く、火災のおそれがない蚊取り線香用容器を提供しようとするものである。
【課題を解決するための手段】
【０００６】
本考案は、上端部に蚊取り線香挿入配置用の本体開口部を有するとともに、側壁に複数の排煙孔を有する有底筒状の容器本体と、
該容器本体の内側において上記排煙孔よりも下方に配置されるとともに、上記蚊取り線香を支持する支持部と、
上記容器本体の側壁よりも水平方向外側に位置する鍔部を有するとともに上記容器本体の上端部に着脱可能に固定されて上記本体開口部を覆う蓋部とを有し、
かつ、上記蓋部の鍔部の下端部は上記排煙孔の上端部よりも下方に位置していることを特徴とする蚊取り線香用容器にある（請求項１）。
【考案の効果】
【０００７】
本考案において、上記蓋部は、上記鍔部の下端部が上記排煙孔の上端部よりも下方に位置している。そのため、降雨時においても蚊取り線香が濡れにくい。
【０００８】
即ち、本考案においては、蚊取り線香用容器に向かって斜め上方から雨が降ってきたとしても、排煙孔に向う雨水は鍔部に当たることになる。そのため、雨水が排煙孔内に降り込むことを防ぐことができる。
したがって、本考案によれば、降雨時においても蚊取り線香が濡れることを防ぐことができる。
【０００９】
さらに、容器本体の側壁には、蚊取り線香を支持する支持部よりも上方に排煙孔が形成されている。そのため、蚊取り線香の煙が容器本体の外部へと出やすい一方で、蚊取り線香の灰が排煙孔から飛散することを防ぐことができる。
また、本体開口部は蓋部により覆われているため、降雨時においても本体開口部から蚊取り線香用容器の内部に雨が降り込むことがなく、また該容器の内部に紙や草木等が落下して火災が発生することもない。
【００１０】
以上のように、本考案によれば、降雨時においても、内部に配置した蚊取り線香が消え難く、更には火災のおそれもない蚊取り線香用容器を提供することができる。
【図面の簡単な説明】
【００１１】
【図１】実施例における、蚊取り線香用容器の断面図。
【図２】実施例における、排煙孔附近の要部拡大図。
【図３】実施例における、蚊取り線香用容器の側面図。
【図４】実施例における、蚊取り線香用容器の展開斜視図。
【図５】実施例における、蚊取り線香用容器の斜視図。
【考案を実施するための形態】
【００１２】
本明細書において、上記容器本体は、略円柱形状や略多角柱形状など、種々の形状とすることができる。
上記排煙孔についても、略円形状や略多角形状など、種々の形状とすることができる。
また、上記鍔部は実施例に示すごとく垂下している必要はなく、蓋部の延長線上にあっても良い。
【００１３】
本考案において、上記鍔部の下端部と上記排煙孔の下端部とを結ぶ直線Ｃと水平方向Ｂとの間の角度（θ１）は、４５°以下であることが好ましい（請求項２）。
この場合には、鍔部の下端部と排煙孔の下端部とを結ぶ直線Ｃが水平方向に対して４５°以下の傾きとなるように蓋部が形成されている。つまり、少なくとも斜め上方４５°から蚊取り線香用容器を見たときには、排煙孔は鍔部の死角に入っている。
そのため、雨水の殆ど全てが上記鍔部によって跳ね返され、上記排煙孔内に雨水が降り込むことがない。それ故、一層確実に、上記効果を発揮させることができる。
【００１４】
本考案において、上記鍔部は、上記容器本体の側壁から上記鍔部までの水平距離Ｌが上記排煙孔の上端部から下端部までの距離である開口高さＨよりも長くなる位置に形成されていることが好ましい（請求項３）。
この場合には、雨水が排煙孔内に浸入することを更に一層防ぐことができる。すなわち、鍔部と排煙孔との間の距離が近すぎると、鍔部の下端部に達した雨水が排煙孔に触れてその中に入り込んでしまうおそれがある。これに対し上記のように、鍔部と排煙孔との間の距離を十分に長くすることにより、雨水が鍔部を伝って排煙孔に浸入することを防ぐことができる。
【００１５】
また、上記蚊取り線香用容器を側面視したとき、上記鍔部は、上記排煙孔の上部を上記開口高さの１／２以上覆っていることが好ましい（請求項４）。
この場合には、鍔部によって排煙孔内への雨の降り込みを一層効果的に防ぐことができる。
【００１６】
また、上記蚊取り線香用容器を側面視したとき、上記排煙孔は、上記容器本体の側壁において上記容器本体の外側に向かって突出形成された煙突部の端部に形成されていることが好ましい（請求項５）。
この場合には、上記煙突部を有するので容器本体内への雨の降り込みがない。
【００１７】
また、上記蓋部は、水平方向に対して傾斜してなる屋根部を有し、
該屋根部は、水平方向外側の端部が上記鍔部と接続されていることが好ましい（請求項６）。
この場合には、雨水を屋根部を伝わせて鍔部へと誘導し、屋根部に滴下した雨水をその傾斜に沿って確実に鍔部へと向かわせて、鍔部において水切りすることができる。
これにより、降雨時においても蚊取り線香が濡れてしまうことを一層確実に防ぐことができる。
【００１８】
また、上記蚊取り線香用容器を側面視したとき、上記屋根部は、その稜線が水平方向に対して４５°以下の角度（θ２）に傾斜していることが好ましい。
この場合には、屋根部に滴下した雨水を鍔部に誘導でき、一方蓋部の高さを抑えることができる。それ故、小型の蚊取り線香用容器を得ることができる。
【００１９】
また、他の考案として、上端部に蚊取り線香挿入配置用の本体開口部を有するとともに、側壁に複数の排煙孔を有する有底筒状の容器本体と、
該容器本体の内側において上記排煙孔よりも下方に配置されるとともに、上記蚊取り線香を支持する支持部と、
上記容器本体の側壁よりも水平方向外側に位置する鍔部を有するとともに上記容器本体の上端部に着脱可能に固定されて上記本体開口部を覆う蓋部とを有し、
かつ上記容器本体は、その側壁の内側面に上記容器本体の内側に向かって形成された灰止め部を有していることを特徴とする蚊取り線香用容器がある（請求項７）。
【００２０】
この場合には、仮に蚊取り線香用容器が転倒しても、上記灰止め部によって蚊取り線香の灰が容器外部へ飛散することを防ぐことができる。
そのため、本考案の蚊取り線香用容器を犬などの動物の近くに配置したり、風の強い屋外に配置したりする場合でも、上記転倒による灰の飛散がなく、安全である。
その他は、上記請求項１の考案と同様である。
【００２１】
また、上記灰止め部は、下方へ向かって屈曲してなることが好ましい（請求項８）。
この場合には、仮に蚊取り線香用容器が転倒しても、灰止め部の屈曲側の内側に蚊取り線香の灰を収容して、当該灰が容器外部へ飛散することを一層確実に防止することができる。
【実施例】
【００２２】
本考案の蚊取り線香用容器に係る実施例について、図１〜図５と共に説明する。
本例の蚊取り線香用容器１は、図１、図４に示すように、下記の容器本体２と、蚊取り線香配置用の支持部３と、蓋部４とを有する。
【００２３】
容器本体２は、上端部２０１に蚊取り線香１０を挿入配置するための本体開口部２１を有するとともに、側壁２２に多数の排煙孔２２０を備えた有底筒状の形状を有する。
支持部３は、容器本体２の内側において排煙孔２２０よりも下方に位置し、蚊取り線香１０を支持するための部位である。
【００２４】
蓋部４は、容器本体２の側壁２２よりも水平方向外側に形成される鍔部４０を有するとともに容器本体２の上端部２０１に着脱可能に固定されて本体開口部２１を覆っている。鍔部４０の下端部４００は排煙孔２２０の上端部２２１よりも下方に位置している。
そして、蓋部４は、図２に示すように、鍔部４０の下端部４００と排煙孔２２０の下端部２２２とを結ぶ直線Ｃと水平方向Ｂとの角度θ１が４５°以下の傾きとなるよう形成されている。すなわち、図１及び図２に示す角度θ１が４５°以下となるように蓋部４が配設されている。
【００２５】
以下、詳細に説明する。
この蚊取り線香用容器１は、図１、図４に示すごとく、点火した状態の蚊取り線香１０を収納するためのものであり、容器本体２と、支持部３と、蓋部４とからなる。
なお、本例において、容器本体２、支持部３及び蓋部４は、いずれも、金属薄板を用いて加工したものである。具体的には、後述するように蓋部４を構成する内蓋部４２、及び容器本体４は、例えば、塗料缶８を再利用して加工することができる。
【００２６】
また、容器本体２の形状としては、例えば円柱形状、多角柱形状など種々の形状とすることができるが、本例では、円柱形状のものとした。
容器本体２は、蚊取り線香１０の外形より大きな内径を有する筒状体の側壁２２と、底部２３とを有する。
また、この容器本体２の側壁２２の上部には、円形の多数の排煙孔２２０が穿設されている（図１〜図４）。
【００２７】
上記排煙孔２２０の形状としては、例えば円形状、多角形状など種々の形状とすることができるが、本例では、円形状のものとした。
また、排煙孔２２０としては、例えば、直径５〜１０ｍｍとする。
なお、容器本体２の側壁２２に形成された多数の排煙孔２２０の下端部２２２は、容器本体２の底部２３から例えば５０〜１００ｍｍ上方に配置される。
【００２８】
また、容器本体２は、その側壁２２の内側面に容器本体２の内側に向かって形成された円環状の灰止め部２４を有している。
そして、この灰止め部２４は、その先端部分が容器本体２の下方に向かって屈曲するよう、屈曲部２４１を形成している。
また、容器本体２は、図４、図５に示すごとく、その側壁２２の上部に吊り下げ部２２３を備える。この吊り下げ部２２３は、蚊取り線香用容器１を吊り下げる場合に用いられる。
【００２９】
支持部３は、図１及び図４に示すごとく、容器本体２の底部２３に固定される台座部３２と、渦巻状に形成された蚊取り線香１０の中心を突き刺すことにより蚊取り線香１０を支持する保持部３１とからなる。
【００３０】
蓋部４は、図１、図３、図４に示すごとく、鍔部４０及び傾斜した屋根部４１０を有する外蓋部４１と、この外蓋部４１の内側に配設されるとともに容器本体２の上端部とに対して着脱可能に嵌合される内蓋部４２とを有する（図１、図４）。蓋部４において、外蓋部４１と内蓋部４２とは一体的に固定されている。
鍔部４０は、図１、図２に示すごとく、屋根部４１０の先端に設けられた環状部分であり、同図に示すごとく垂下していても、屋根部４１０の延長線上に位置していても良い。
【００３１】
また、外蓋部４１の屋根部４１０は、水平方向に対して２０〜４５°程度傾斜させることが好ましい（図２における角度θ２）。
本例においては、屋根部４１０は、水平方向に対する角度θ２が４５°程度傾斜させている。
上記外蓋部４１は、屋根部４１０の水平方向外側の端部から下方に向かって形成された鍔部４０を有している。
【００３２】
一方、内蓋部４２は、その外周部の下面に凸状嵌合部４２０を有し、嵌合部４２０は容器本体２の上端部に形成された凹状被嵌合部２１０と着脱可能に嵌合固定されている（図１、図２、図４）。
この蓋部４には、開口は形成されていない。蓋部４は、容器本体２の上端部２０１の傘としての機能を果たしている。
【００３３】
また、蚊取り線香用容器１を側面視したとき、蓋部４に形成されている鍔部４０は、排煙孔２２０の上部をその開口高さＨの約１／３〜１／２以上覆っていることが好ましい（図２、図３）。
また、本例の蚊取り線香用容器１においては、鍔部４０は、図２に示すように、容器本体２における側壁２２より水平距離Ｌだけ外側に位置している。
【００３４】
さらには、鍔部４０を、上記水平距離Ｌが上記開口高さＨよりも長くなる位置に配置することもできる。この場合には、降雨時においてもより一層蚊取り線香１０が雨に濡れることを防止することができる。
すなわち、鍔部４０と排煙孔２２０との間の距離が近すぎると、鍔部４０の下端部４００に達した雨水が排煙孔２２０に触れてその中に入り込むおそれがある。これに対し、鍔部４０と排煙孔２２０との間の距離を十分に長くした場合にあっては、雨水が上記のように排煙孔２２０内に浸入することを効果的に防ぐことができる。
水平距離Ｌは、１０〜１５ｍｍとすることが好ましい。
【００３５】
次に、上記蚊取り線香用容器１に蚊取り線香１０を装着する場合には、図１に示すごとく、蓋部４を上方に持ち上げて、内蓋部４２の凸状嵌合部４２０と容器本体２上部の凹状被嵌合部２１０との嵌合を解除して、内蓋部４２と外蓋部４１とが一体となっている蓋部４を容器本体２から取り外す。
そして、点火した状態の蚊取り線香１０を、容器本体２の本体開口部２１内に挿入する。次いで、上記蚊取り線香１０を、支持部３の保持部３１に突き刺す。これにより蚊取り線香１０を容器本体２内に配置する。
点火した蚊取り線香１０から発生する煙は、容器本体２の排煙孔２２０を介して外部へと拡散する。
【００３６】
以下に、本例の作用効果について説明する。
本例においては、蓋部４の鍔部４０の下端部４００が排煙孔２２０の上端部２２１よりも下方に位置している。そのため、降雨時においても蚊取り線香１０が濡れにくい蚊取り線香用容器１を得ることができる。
【００３７】
特に、本例においては、鍔部４０の下端部４０と排煙孔２２０の下端部２２２とを結ぶ直線Ｃが水平方向Ｂに対して４５°以下の傾き（図１、図２のθ１）となるように蓋部４が形成されている。
そのため、風を伴った雨が降ってきたとしても、雨水は排煙孔２２０よりも水平方向外側に形成された鍔部４０に当たることになる。これにより、雨水が排煙孔２２０内に浸入することを防ぐことができる。
したがって、本例によれば、排煙孔２２０内への雨の降り込みを防ぐことができ、風を伴った降雨時においても蚊取り線香１０が濡れることを防ぐことができる。
【００３８】
さらに、容器本体２の側壁２２には、蚊取り線香１０を支持する支持部３よりも上方に排煙孔２２０が形成されている。そのため、蚊取り線香１０の煙が容器本体２の外部へと出やすい一方で、蚊取り線香１０の灰が排煙孔２２０から飛散することを十分に防ぐことができる。
また、本体開口部２１は蓋部４により覆われているため、蚊取り線香用容器１を屋外に設置しても本体開口部２１から蚊取り線香用容器１の内部に雨が降り込むことがなく、また蚊取り線香用容器１の内部に紙や草木等が落下して火災が発生するということもない。
【００３９】
また、蓋部４は、水平方向に対して傾斜してなる屋根部４１０を有し、屋根部４１０は、水平方向外側の端部が鍔部４０と接続されているため、屋根部４１０の雨水は鍔部４０へと誘導され、鍔部４０の下端部４００から雨水を滴下させることができる。それ故、降雨時においても蚊取り線香１０が濡れてしまうことを一層効果的に防ぐことができる。
また、蚊取り線香用容器１を側面視したとき、屋根部４１０は、その稜線が水平方向に対して４５°以下に傾斜しているため、小型の蚊取り線香用容器１とすることができる。
【００４０】
また、容器本体２は、円環状の灰止め部２４を有しているため、仮に蚊取り線香用容器１が転倒しても、灰止め部２４によって蚊取り線香１０の灰が外部へ飛散することを防ぐことができる。
また、灰止め部２４は、下方へ向かって屈曲する屈曲部２４１を有しているため、仮に蚊取り線香用容器１が転倒しても、灰止め部２４の内側に蚊取り線香１０の灰を収納でき、灰が飛散することを一層防止することができる。
【００４１】
以上のとおり、本例によれば、降雨時においても蚊取り線香が消え難く、火災のおそれがない蚊取り線香用容器を提供することができる。
【符号の説明】
【００４２】
１  蚊取り線香用容器
１０  蚊取り線香
２  容器本体
２０１  （容器本体の）上端部
２１  本体開口部
２２  側壁
２２０  排煙孔
２２２  （排煙孔の）下端部
３  支持部
４  蓋部
４０  鍔部
４００  下端部
【図１】
0003151367.tif 000003
【図２】
0003151367.tif 000004
【図３】
0003151367.tif 000005
【図４】
0003151367.tif 000006
【図５】
0003151367.tif 000007